【手続補正書】
【提出日】令和3年3月16日(2021.3.16)
【手続補正１】
【補正対象書類名】特許請求の範囲
【補正対象項目名】全文
【補正方法】変更
【補正の内容】
【特許請求の範囲】
【請求項１】
携帯電子デバイスに取り付けられたソケットアクセサリと共に使用するためのスピニングアクセサリであって、
前記ソケットアクセサリを受け入れるようにサイズ設定された中央開口部を画定する内側リングと、
前記内側リングを取り囲む外側リングと、
前記内側リングと前記外側リングとの間に配置された１つまたは複数のボールであって、前記携帯電子デバイスが前記スピニングアクセサリの一部分に対して回転可能となるような前記内側リングと前記外側リングとの間の回転を容易にするように構成される、１つまたは複数のボールと、
前記内側リングの内側表面によって担持された把持部材であって、前記ソケットアクセサリの一部分としっかり係合するように適合される、把持部材と
を備えるスピニングアクセサリ。
【請求項２】
前記外側リングは固定され、前記内側リングは前記外側リングに対して回転可能である請求項１に記載のスピニングアクセサリ。
【請求項３】
前記外側リングによって担持された把持リムをさらに備える請求項１に記載のスピニングアクセサリ。
【請求項４】
前記把持部材は、把持表面、１つもしくは複数の突出部、１つもしくは複数の磁石、または１つもしくは複数の環状凹部の少なくとも１つを備える請求項１に記載のスピニングアクセサリ。
【請求項５】
前記把持部材は把持表面を備える請求項１に記載のスピニングアクセサリ。
【請求項６】
前記把持表面は、ゴムまたはゲル材料から作製される請求項５に記載のスピニングアクセサリ。
【請求項７】
前記１つまたは複数のボールは、前記内側リング周りに円周方向に配置された複数のボールを備える請求項１に記載のスピニングアクセサリ。
【請求項８】
携帯電子デバイスに取り付けられたソケットアクセサリと共に使用するためのスピニングアクセサリであって、
前記ソケットアクセサリを受け入れるようにサイズ設定された軸受組立体であって、前記ソケットアクセサリに対する前記スピニングアクセサリの一部分の回転を容易にする、軸受組立体と、
前記軸受組立体の内側表面によって担持された把持部材であって、前記ソケットアクセサリの一部分としっかり係合するように適合される、把持部材と、
前記軸受組立体の外側表面によって担持された把持リムと
を備えるスピニングアクセサリ。
【請求項９】
前記軸受組立体はボール軸受組立体を備え、前記ボール軸受組立体は、
前記ソケットアクセサリを受け入れるようにサイズ設定された内側リングと、
前記内側リングを取り囲む外側リングであって、前記内側リングおよび前記外側リングは、前記スピニングアクセサリが前記ソケットアクセサリに対して回転可能となるように互いに対して回転可能である、外側リングと、
前記内側リングと前記外側リングとの間に配置された複数のボールであって、前記内側リングと前記外側リングとの間の回転を容易にするように構成される、複数のボールと
を含み、
前記把持部材は、前記内側リングの内側表面によって担持され、前記把持リムは、前記外側リングによって担持される請求項８に記載のスピニングアクセサリ。
【請求項１０】
前記把持部材は、把持表面、１つもしくは複数の突出部、１つもしくは複数の磁石、または１つもしくは複数の環状凹部の少なくとも１つを備える請求項８に記載のスピニングアクセサリ。
【請求項１１】
前記把持部材は把持表面を備える請求項８に記載のスピニングアクセサリ。
【請求項１２】
前記把持表面は、ゴムまたはゲル材料から作製される請求項１１に記載のスピニングアクセサリ。
【請求項１３】
持ち運び可能なメディアプレーヤ用のアクセサリの組立体であって、
前記持ち運び可能なメディアプレーヤまたは前記持ち運び可能なメディアプレーヤ用のケースへの取り付けのためのソケットアクセサリであって、前記ソケットは、
前記ソケットアクセサリを前記持ち運び可能なメディアプレーヤまたは前記持ち運び可能なメディアプレーヤ用の前記ケースに取り付けるためのプラットフォーム、および
前記プラットフォームに対して離間されたボタン
を備える、ソケットアクセサリと、
前記ソケットアクセサリの前記ボタンに取り付け可能なスピニングアクセサリであって、
前記ソケットアクセサリに対する前記スピニングアクセサリの一部分の回転を容易にするように構成された軸受組立体、および
前記軸受組立体の内側表面によって担持され、前記ボタンの表面としっかり係合して前記スピニングアクセサリを前記ソケットアクセサリに取り付けるように構成された把持部材
を備える、スピニングアクセサリと
を備える組立体。
【請求項１４】
前記ボタンは、前記ソケットアクセサリが延長可能となるように前記プラットフォームに対して移動可能である請求項１３に記載の組立体。
【請求項１５】
前記ソケットアクセサリは、軸に沿って延長可能であり、前記スピニングアクセサリは、前記軸周りで前記ソケットアクセサリに対して回転可能である請求項１３に記載の組立体。
【請求項１６】
前記ソケットアクセサリは、前記プラットフォームに結合された外板をさらに備え、前記外板は、折り畳まれた構成と拡張された構成との間で変形可能である請求項１３に記載の組立体。
【請求項１７】
前記ボタンは、前記プラットフォームの反対側の前記外板に結合される請求項１６に記載の組立体。
【請求項１８】
前記軸受組立体は、
前記ソケットアクセサリの前記ボタンを受け入れるようにサイズ設定された中央開口部を画定する内側リングと、
前記内側リングを取り囲む外側リングであって、前記内側リングおよび前記外側リングは互いに対して回転可能である、外側リングと、
前記内側リングと前記外側リングとの間に配置された１つまたは複数のボールであって、前記内側リングと前記外側リングとの間の回転を容易にするように構成される、１つまたは複数のボールと
を備え、
前記把持部材は、前記内側リングの内側表面によって担持される請求項１３に記載の組立体。
【請求項１９】
前記外側リングは固定され、前記内側リングは前記外側リングに対して回転可能である請求項１８に記載の組立体。
【請求項２０】
前記外側リングによって担持された把持リムをさらに備える請求項１８に記載の組立体。
【請求項２１】
前記把持部材は、把持表面、１つもしくは複数の突出部、１つもしくは複数の磁石、または１つもしくは複数の環状凹部の少なくとも１つを備える請求項１３に記載の組立体。
【請求項２２】
持ち運び可能なメディアプレーヤ用の拡張可能なスピニングアクセサリであって、
前記スピニングアクセサリを前記持ち運び可能なメディアプレーヤまたは前記持ち運び可能なメディアプレーヤ用のケースに取り付けるためのプラットフォームと、
前記プラットフォームに結合された外板であって、折り畳まれた構成と拡張された構成との間で変形可能である、外板と、
前記プラットフォームの反対側の前記外板に結合されたボタンと、
前記外板および前記ボタンに結合された軸受組立体であって、前記外板に対する前記ボタンの回転を容易にするように構成される、軸受組立体と
を備える拡張可能なスピニングアクセサリ。
【請求項２３】
前記外板に結合されたフレームをさらに備え、前記軸受組立体は前記フレームによって担持される請求項２２に記載の拡張可能なスピニングアクセサリ。
【請求項２４】
前記軸受組立体は、
前記スピニングアクセサリの前記ボタンを受け入れるようにサイズ設定された中央開口部を画定する内側リングと、
前記内側リングを取り囲む外側リングであって、前記内側リングおよび前記外側リングは互いに対して回転可能である、外側リングと、
前記内側リングと前記外側リングとの間に配置された１つまたは複数のボールであって、前記内側リングと前記外側リングとの間の回転を容易にするように構成される、１つまたは複数のボールと
を備える請求項２２に記載の拡張可能なスピニングアクセサリ。
【請求項２５】
前記外側リングは固定され、前記内側リングは前記外側リングに対して回転可能である請求項２４に記載の拡張可能なスピニングアクセサリ。
【請求項２６】
前記外板に結合されたフレームをさらに備え、前記軸受組立体の前記外側リングは、前記フレームに結合される請求項２４に記載の拡張可能なスピニングアクセサリ。